(57)【要約】【課題】テレビ電話における会話によって利用者が視聴を希望する放送番組を見逃すことを防止することのできるデジタル放送受信機を提供する。【解決手段】デジタル放送受信機は、通信網に接続されたテレビ電話手段と、放送番組の番組表を生成する番組表生成手段と、前記テレビ電話手段がオフフックされ、前記テレビ電話手段に送信された映像を画面に表示した後に、前記オフフック後の第１の所定時間に前記番組表を前記映像に重畳させて前記画面に表示する表示手段とを有する。【選択図】図５
2012160920.tif 000002
【特許請求の範囲】
【請求項１】
通信網に接続されたテレビ電話手段と、
放送番組の番組表を生成する番組表生成手段と、
前記テレビ電話手段がオフフックされ、前記テレビ電話手段に送信された映像を画面に表示した後に、前記オフフック後の第１の所定時間に前記番組表を前記映像に重畳させて前記画面に表示する表示手段と
を有するデジタル放送受信機。
【請求項２】
前記番組表は前記画面の上端付近もしくは下端付近もしくは左端付近もしくは右端付近のいずれかに表示される請求項１に記載のデジタル放送受信機。
【請求項３】
前記番組表は文字情報とサムネイル映像を含む請求項１に記載のデジタル放送受信機。
【請求項４】
前記番組表は前記テレビ電話手段がオフフックされる前に視聴していた最後のチャンネルを前記番組表の略中央に表示しこの左右に１個または複数のチャンネルを表示する請求項１に記載のデジタル放送受信機。
【請求項５】
前記番組表は第２の所定時間表示される請求項１に記載のデジタル放送受信機。
【請求項６】
前記番組表に表示された番組の録画を設定する手段を備え、録画が設定された場合には前記テレビ電話手段がオフフックされた状態が継続する請求項１に記載のデジタル放送受信機。
【請求項７】
前記番組表に表示された番組の視聴を実行する手段を備え、視聴が開始された場合には前記テレビ電話手段がオンフックされた状態となる請求項１に記載のデジタル放送受信機。
【請求項８】
前記表示手段が、前記テレビ電話手段がオフフックされた後に前記テレビ電話手段に送信された映像を画面に表示した後に、前記オフフック後の第１の所定時間に前記番組表を前記映像に重畳させて前記画面に表示するか否かを設定する設定手段を有する請求項１に記載のデジタル放送受信機。
【発明の詳細な説明】
【技術分野】
【０００１】
本発明の実施形態は、デジタル放送受信機に関する。
【背景技術】
【０００２】
近年、映像を撮影するカメラの小型化や、あるいは通信速度の向上などにより、映像と音声とによって通話を行うテレビ電話システムが普及しつつある。テレビ電話システムの端末の一形態として、デジタル放送番組を受信し、再生する放送受信機において、テレビ電話機能を有するデジタル放送受信機が考案されている。
【先行技術文献】
【特許文献】
【０００３】
【特許文献１】特開平７−１８４１７４号公報
【発明の概要】
【発明が解決しようとする課題】
【０００４】
デジタルテレビのようなデジタル放送受信機にテレビ電話機能を付加させた場合には、放送番組を視聴する画面とテレビ電話の画面を共用することになる。従って、放送番組を表示している画面にテレビ電話の映像が割り込む場合がある。割り込む場合に画面の一部が切り替わる場合と全画面が切り替わる場合がある。
【０００５】
全画面が切り換わる場合に、利用者がテレビ電話の会話に夢中になって、視聴する予定であった放送番組を見逃してしまう可能性がある。また、利用者が、テレビ番組を視聴している途中でテレビ電話の着呼があった場合に、電話に出て相手と会話している最中に、利用者が視聴しようとしていた番組が始まってしまう可能性がある。
【０００６】
本発明の目的は、上記したような事情に鑑み成されたものであって、テレビ電話における会話によって利用者が視聴を希望する放送番組を見逃すことを防止することのできるデジタル放送受信機を提供することである。
【課題を解決するための手段】
【０００７】
上記目的を達成するために、実施形態によれば、デジタル放送受信機は、通信網に接続されたテレビ電話手段と、放送番組の番組表を生成する番組表生成手段と、前記テレビ電話手段がオフフックされ、前記テレビ電話手段に送信された映像を画面に表示した後に、前記オフフック後の第１の所定時間に前記番組表を前記映像に重畳させて前記画面に表示する表示手段とを有する。
【図面の簡単な説明】
【０００８】
【図１】実施形態の構成の一例を示した概観斜視図。
【図２】実施形態に係わるデジタル放送受信機の構成を示したブロック図。
【図３】リモコンの実施形態を示した概観図。
【図４】テレビ電話の通話画面の例を示した図。
【図５】テレビ電話に送信された映像にミニ番組表が重畳されて画面に表示された例を示した図。
【図６】ミニ番組表の画面上の配置を示した図。
【図７】図５の状態から右カーソルボタンを１回押下した状態を示した図。
【図８】画面に選択チャンネルウィンドウが表示された状態を示した図。
【図９】画面にテレビ電話終了確認ウィンドウが表示された状態を示した図。
【図１０】ミニ番組表自動表示処理の動作手順を示したフローチャート。
【発明を実施するための形態】
【０００９】
以下実施形態について図面を参照しながら説明する。図１は、実施形態の構成の一例を示した概観斜視図である。デジタル放送受信機１は、筐体２と、筐体２を支持するスタンド３を備えている。筐体２は前面側に液晶パネルやＰＤＰ（Plasma Display Panel）パネル等の表示パネル４が配置され、表示パネル４の背面側に表示パネル４を支持する図示しないフレームが配置されている。フレームには表示パネル４を駆動するための図示しない回路基板や電源回路が設置されている。
【００１０】
筐体２は、筐体２の前面側と上面、底面、両側側面の一部を覆う前面カバー５と、筐体２の背面側と上面、底面、両側側面の一部を覆う背面カバー６とによって外面が囲まれている。画面７は、表示パネル４の前面カバー６の窓部５ａの内側の表示部分である。
【００１１】
デジタル放送受信機１の前面の下部の両側にスピーカ８が配置されている。右スピーカ８ａは、前面カバー５の前面下部の右側にあるネット状のカバー９ａの内側に配置されている。左スピーカ８ｂは、前面カバー５の前面下部の右側にあるネット状のカバー９ｂの内側に配置されている。なお、ネット状のカバー９は、デジタル放送受信機１の概観デザインの都合によって、筐体２の底面側に配置されたり、背面側に配置される場合がある。スピーカ８もこれに対応して底面側や背面側に向けて配置される場合がある。また、スピーカ８の形状や設置場所によって、ネット状のカバーが利用されない場合もある。
【００１２】
デジタル放送受信機１の前面側の上部にカメラ１０が配置されている。カメラ１０は、テレビ電話において、デジタル放送受信機１の主に前方周辺の映像を撮影して映像信号をデジタル放送受信機１のカメラ映像処理部４６（図２参照）へ送出する機能を有する。カメラ１０は、筐体２の側面に設置されたカメラ入力端子４６ａにケーブル１１によって接続されている。なお、カメラ１０の設置位置は、前面側の上部に限るものではない。また、カメラ１０は、デジタル放送受信機１の筐体２の内部に組み込まれた状態で配置されてもよい。
【００１３】
デジタル放送受信機１の前面側の前方にはマイクロホン１３が配置されている。マイクロホン１２は、テレビ電話において、デジタル放送受信機１の周辺の音声を収集して音声信号をデジタル放送受信機１のマイク音声処理部４７（図２参照）へ送出する機能を有する。マイクロホン１２は、筐体２の側面に設置されたマイク入力端子４７ａにケーブル１３によって接続されている。なお、マイクロホン１２の設置位置は、前面側の前方に限るものではない。また、マイクロホン１２は、デジタル放送受信機１の筐体２の内部に組み込まれた状態で配置されてもよい。また、マイクロホン１２は、無線方式を利用してもよい。この際、デジタル放送受信機１にはマイクロホン１２の無線信号を受け取る受信装置を必要とする。また、マイクロホン１２は、リモコン１４に搭載されたワイヤレスのマイクロホン６６（図３参照）を代用することが可能である。
【００１４】
リモコン１４は赤外線あるいはBluetooth（登録商標）等による無線通信を利用して、デジタル放送受信機１の操作受信部へ操作信号を送る操作機器である。
【００１５】
図２は、実施形態のデジタル放送受信機１の構成を示したブロック図である。デジタル放送受信機１は、放送受信機１７とテレビ電話機１８の二つの機能を有する。デジタル放送受信機１の放送受信機１７は、デジタル放送を受信可能であって、画面７に放送番組の映像を表示しスピーカ８から音声を出力することができる。また、デジタル放送受信機１のテレビ電話機１８は、画面７にテレビ電話の相手からの映像を表示し、スピーカ８から電話の相手の音声を出力しながら通話することができ、カメラ１０の映像を通話の相手のテレビ電話システムに送信することができる。
【００１６】
放送受信機１７の構成について説明する。アンテナ１９は、放送局２０から送信された放送電波を受信するための地上デジタル放送あるいは衛星デジタル放送用のアンテナである。チューナ２１は、地上デジタル放送、衛星デジタル放送あるいはケーブルテレビ放送の放送信号の中から所望のチャンネルの放送信号を選局する。チューナ２１は、複数のチューナユニットから構成されており、同時に複数の放送を受信することができる。アンテナ端子２１ａはアンテナ１９が接続される端子である。
【００１７】
復調器２２は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ（Moving Picture Experts Group）−ＴＳ（Transport Stream）に復調され、デコード処理部２３に出力される。
【００１８】
デコード処理部２３は、ＭＰＥＧデコーダ、映像音声デコーダ等の機能を有する。デコード処理部２３は、復調器２２から送信されたＭＰＥＧ−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。また、デコード処理部２３は、記録装置２４から入力された映像データ及び音声データをデコードする。
【００１９】
記録装置２４は、ＨＤＤ（Hard Disk Drive）、ＳＳＤ（Solid State Drive）あるいはＯＤＤ（Optical Disc Drive）等を含む記録手段である。記録装置２４には情報を記録再生するためのエンコーダとデコーダが搭載されており、該エンコーダとデコーダを介してＭＰＥＧ−ＴＳデータが記録再生形態に適したフォーマットに変調されＨＤＤ、ＳＳＤあるいはＯＤＤに記録され、また再生される。再生データは、デコード処理部２３でデコードされる。
【００２０】
重畳処理部２５は、デコード処理部２３からの映像データと、バス２９を介して転送されるデータ放送、ＧＵＩ（Graphical User Interface）処理手段３８によるウィンドウ描画やテレビ電話機１８の映像音声制御部４１からの電話映像をプレーン管理して、映像データとの重ね合わせを行い、映像処理部２６に送る。
【００２１】
映像処理部２６は、表示装置２７で表示可能なフォーマット（画素数、フレーム周波数、走査方式）に変換したり、表示色を任意に調整したりして、表示装置２７に出力して映像を画面７に表示させる。
【００２２】
音声処理部２８は、デコード処理部２３から伝送されたデジタルの音声データを、スピーカ８あるいはイヤーホーンで再生可能なアナログ音声信号に変換した後、スピーカ８あるいはイヤーホーンに出力して音声を再生させる。また音声処理部２８は、テレビ電話機１８の映像音声制御部４１から送出された音声データをスピーカ８あるいはイヤーホーンに出力して音声を再生させる。なお、表示装置２７やスピーカ８はデジタル放送受信機１の外部にあってもよい。またデジタル放送受信機１と別の筐体に納められていてもよい。
【００２３】
デジタル放送受信機１は、上記した受信動作を含むその全ての動作を制御部３０によって統括的に制御されている。制御部３０はＭＰＵ（Micro Processing Unit）３１が搭載されており、バス２９を介して接続された各構成要素を制御する。制御部３０はテレビ電話機１８の各構成要素を統括的に制御し、放送受信機１７とテレビ電話機１８の動作順序や画面表示、音声出力等を制御する。
【００２４】
ＲＡＭ（Random Access Memory）３２は、制御部３０のデータ処理に必要な各種データを格納するリードライトメモリであり、映像データ等を格納するバッファメモリとして動作する。ＲＯＭ（Read Only Memory）３３は読出し専用メモリであり、ＭＰＵ３１が実行する制御のプログラムなどを格納している。
【００２５】
フラッシュメモリ３４は、書き換え可能であり、電源を切ってもデータが消えない不揮発性の半導体メモリである。フラッシュメモリ３４は、番組情報、録画番組情報、録画予約情報等を記憶する機能を有する。
【００２６】
操作受信部３５は、操作機器３６から送信される操作信号を受信し、制御部３０に転送する。操作機器３６は、例えば、赤外線あるいはBluetooth（登録商標）等による無線通信を利用したリモコン（リモートコントローラ、remote controller）１４、有線式あるいは無線式キーボード等であり、操作信号を送出する。操作受信部３５は、これらリモコン１４、キーボード等から操作信号を受信する。
【００２７】
図２において、制御部３０は、記録設定手段３７、ＧＵＩ処理手段３８、番組表生成手段３９の機能を有する。これらの機能は、制御部３０のＭＰＵ３１が実行するアプリケーションであり、通常はＲＯＭ３３に格納されており、使用時にはＭＰＵ３１によって読み出され実行される。
【００２８】
記録設定手段３７は、利用者の要求に基づいて放送番組の記録を設定し管理する。また、記録設定手段３７は、予約された番組の記録処理、また視聴中の番組の記録処理を行う。さらに、記録設定手段３７は、記録装置２４に記録された番組を管理する。記録された番組の番組情報（放送局名、放送日時、番組名、放送概要、出演者、番組詳細、番組分類等）、記録時間、録画番組が再生済みか未再生かの区別等を、フラッシュメモリ３４、または記録装置２４に記録し、録画番組の情報を管理する。記録管理手段３７は、録画番組リストの生成、録画番組の再生や削除、編集等の処理を実行する。
【００２９】
ＧＵＩ処理手段３８は、ＧＵＩ（Graphical User Interface）データを生成し、この生成されたＧＵＩデータはバス２９を介して重畳処理部２５へ送信される。重畳処理部２５に送付されたＧＵＩデータは、例えば、放送番組の映像データやテレビ電話の映像データに重畳処理されたり、あるいはＧＵＩ単独画面として処理され、映像処理部２６へ伝送される。
【００３０】
番組表生成手段３９は、ＥＰＧデータに基づいて番組表データを生成する。番組情報を含むＥＰＧデータは映像・音声などと同様にパケット化され、多重されて放送されている。番組情報のデータは、ＳＩ(Service Information、番組配列情報)のＥＩＴ(Event Information Table)の中にあり、放送局名、放送日時、番組名、放送概要、出演者、番組詳細等の個々の番組に関する情報が含まれている。番組表データは番組表生成手段３９からＧＵＩ処理手段３８へ送信され、番組表が生成されて重畳処理部２５へ送出される。
【００３１】
番組表の表示様態は放送受信機メーカや放送受信機の機種によって異なっているが、デジタル放送受信機１においては、新聞などにおけるテレビ番組欄のように画面７の横方向にチャンネルを並べたチャンネル軸を、縦方向に時間を表す時間軸を表示する場合と、画面７の縦方向にチャンネルを並べたチャンネル軸を、横方向に時間を表す時間軸を表示する場合がある。画面７にテレビ電話の映像が表示されているときに、この映像に重畳されて表示される番組表はミニ番組表であり、チャンネルの数と時間帯が制限さえた小さなサイズの番組表である。番組表生成手段３９によって生成された番組表データは、ＧＵＩ処理手段３８、重畳処理部２５、映像処理部２６を経由して表示装置２７の画面７に表示される。
【００３２】
次にテレビ電話機１８の構成について説明する。回線制御部４１は、例えば、ＩＳＤＮ（Integrated Services Digital Network）回線等の回線網４２に接続されている。回線制御部４１は、回線網４２との間で送受される各種信号の伝送制御を行う。回線制御部４１は、回線端子４１ａを介して回線網４２に接続される。
【００３３】
ネットワークインターフェース４３は、インターネット或いは専用線によるネットワーク４４に接続されている。このネットワークインターフェース４３を経由したテレビ電話機１８は、ＩＰ（Internet Protocol）電話の形態をとる。ネットワークインターフェース４３は、ネットワーク端子４３ａを介してネットワーク４４に接続される。
【００３４】
テレビ電話機１８は、回線網４２またはネットワーク４４のどちらか一つと接続されるか、または、両方とも接続されていてもよい。両方とも接続されている場合には、どちらか一方が有効となっている場合には他方が無効となるように制御部３０によって切り替えられる。
【００３５】
映像音声制御部４５は、回線制御部４１またはネットワークインターフェース４３から伝送されたテレビ電話の映像信号および音声信号の圧縮、伸張を行うコーデック機能を有し、コーデックされた映像信号を重畳処理部２５へ、音声信号を音声処理部２８へ送出する。また、映像音声制御部４５は、カメラ映像処理部４６からの映像信号、マイク音声処理部４７からの音声信号を回線網４２或いはネットワーク４４に送出するデータに変換する。
【００３６】
カメラ映像処理部４６は、カメラ１０から送信された映像信号をエンコードして、バス２９を介して重畳処理部２５或いは映像音声制御部４５に送出する。
【００３７】
マイク音声処理部４７は、マイクロホン１２から送信された音声信号をエンコードして、バス２９を介して音声処理部２８或いは映像音声制御部４５に送出する。マイク音声処理部４７は、無線制御部を含みワイヤレスマイクロホンからの音声信号を受信し、この音声信号をエンコードすることができる。
【００３８】
制御部３０は、テレビ電話機１８に着呼があった場合には、画面７に着呼があったことを知らせるアイコンを表示し、利用者がオフフック（電話回線を接続すること）した場合には、放送番組の表示を中断して、画面７の表示をテレビ電話機１８の表示に切り替える。また、利用者がオンフック（電話回線を切ること）した場合には、テレビ電話機１８の表示を終了して、画面７の表示を放送受信機１７のラストチャンネルの番組の表示に切り替える。
【００３９】
制御部３０は、ミニ番組表自動表示設定手段４０の機能を有する。ミニ番組自動表表示設定手段４０は、画面７にテレビ電話の映像が表示されているときに、この映像にミニ番組表を重畳させて表示するか否かを設定する機能を有する。またミニ番組表自動表示設定手段４０は、ミニ番組表に表示されるチャンネル数や時間帯の長さを設定する機能を有する。テレビ電話におけるミニ番組表の表示に関する設定は、デジタル放送受信機１の各種の設定項目の中に含まれており、リモコン１４のメニューボタン５７を押下することによって、デジタル放送受信機１に用意された各種の設定項目を表示させ、ミニ番組表自動表示設定を選択することにより設定できる。
【００４０】
図３は、リモコン１４の実施形態を示した概観図である。リモコン１４は赤外線あるいはBluetooth等による無線通信を利用して、デジタル放送受信機１の操作受信部３５へ操作信号を送る。電源ボタン５０は、デジタル放送受信機１の電源をオンまたはオフする。詳細にはデジタル放送受信機１を待機状態から動作状態、または動作状態から待機状態にするボタンである。
【００４１】
選局ボタン５１は、放送のチャンネル番号を直接選択する１から１２までの番号が振られたボタンである。また選局ボタン５１はテレビ電話を使用するときにはダイヤルボタンの機能を果たす。チャネル送りボタン５２は、チャネル番号を順送りまたは逆送りで選局するボタンであり、選局ボタン５１と同様にチャネルを選局するときに用いられる。音量調整ボタン５３は、放送番組の視聴やテレビ電話の音量を調整するボタンである。
【００４２】
カーソルボタン５４は表示装置２７の画面７に表示されたＧＵＩ画面の各種の情報ウィンドウ内のカーソルの移動や各種項目の選択ボタンの移動を行うためのボタンである。左方向カーソルボタン５４ａはカーソルを左方向に移動させるときに用いるボタンである。右方向カーソルボタン５４ｂ、上方向カーソルボタン５４ｃ、下方向カーソルボタン５４ｄはそれぞれカーソルを右方向、上方向、下方向に移動させるときに用いる。決定ボタン５５は、カーソルボタン５４ａ〜５４ｄで移動した先の位置または画面上のボタンを実行するときに用いられる。
【００４３】
番組表ボタン５６は、番組表を画面７に表示するときに操作する専用の操作ボタンである。メニューボタン５７は、デジタル放送受信機１に用意された各種の設定項目を表示するときに押下するボタンである。利用者は、階層表示された複数の項目の中から目的の設定項目を選択する。
【００４４】
戻るボタン５８は一つ前の操作段階の画面へ戻るときに使うボタンである。終了ボタン５９は、一連の操作を終了するときに操作するボタンである。
【００４５】
４色の色ボタン６０は、左から青ボタン６０ａ、赤ボタン６０ｂ、緑ボタン６０ｃ、黄ボタン６０ｄの順に配置されている。画面７上に色により区別された項目や色による選択の表示があるときに使用する。記録装置操作ボタン６１は、記録装置２４に記録された番組を再生する際に、再生、停止、一時停止、早送り再生、早戻し再生、次番組スキップ、先頭戻り・前番組スキップするためのボタンである。
【００４６】
通話ボタン６２は、テレビ電話を掛けたり、受けたりするときの電話回線を接続するオフフック用のボタンである。終話ボタン６３は通話を終了するときの電話回線を切断するオンフック用のボタンである。
【００４７】
テレビ電話ボタン６４は、リモコン１４をテレビ電話用のリモコンに切り替えるときに操作するボタンである。マイクボタン６５はマイクロホン６６を使用するときに押下するボタンである。マイクロホン６６はワイヤレスのマイクロホンであり、リモコン１４から送信された音声信号は、マイク音声処理部４７内の無線制御部で受信されてエンコードされる。
【００４８】
図４は、テレビ電話の通話画面の例を示した図である。デジタル放送受信機１に着呼があり、利用者がリモコン１４の通話ボタン６２を押下してオフフックすると、画面７にテレビ電話の相手からテレビ電話機１８に送信されたテレビ電話映像７０が表示され、また利用者側のカメラ１０のカメラ映像７１が画面７の隅に表示される。スピーカ８ａ、８ｂから相手の音声が出力される。利用者が放送番組を視聴している途中で着呼がありオフフックした場合には、画面７の表示は放送番組からテレビ電話の表示に切り替わる。
【００４９】
図５は、テレビ電話機１８に送信されたテレビ電話映像７０にミニ番組表７２が重畳されて画面７に表示された例を示した図である。テレビ電話におけるミニ番組表の自動表示が設定されている場合には、テレビ電話機１８がオフフックされてテレビ電話機１８に送信されたテレビ電話映像７０が画面に表示された後に、オフフック後の第１の所定時間にミニ番組表７２が映像７０に重畳されて画面７に表示される。
【００５０】
図６は、ミニ番組表７２の画面７上の配置を示した図である。表示されるミニ番組表７２は、画面７の上端付近７４ａもしくは下端付近７４ｂもしくは左端付近７４ｃもしくは右端付近７４ｄのいずれかに表示される。テレビ電話映像７０が表示の主体であり、テレビ電話映像７０を画面７の中央近辺に配置し、ミニ番組表７２は、周辺の一部に配置される。図５の例においては、ミニ番組表７２は、画面７の上端付近に表示された例を示している。
【００５１】
第１の所定時間とは、毎正時あるいは毎３０分などの番組が切り替わる切れ目のよい時間における最初の時間のことである。例えば、午前９時５０分にオンフックした場合には、午前１０時が最初に番組が切り替わる時間である。また、例えば、午前１０時２０分にオンフックした場合には、午前１０時３０分が最初に番組が切り替わる時間であると見なす。詳細にはミニ番組表７２は、第１の所定時間の数秒から数十秒前に画面７に表示される。
【００５２】
ミニ番組表７２のチャンネル数は、利用者がテレビ電話をオフフックする前に最後に視聴していたチャンネル（ラストチャンネル）を含む数チャンネルである。図５の例においては、ラストチャンネルが４チャンネルであり、このラストチャンネルを中心とし両側に２個ずつのチャンネルを配置し合計５チャンネルが表示されている。表示するチャンネル数は画面７のサイズによって適宜決めればよい。また利用者によって設定できるようにしてもよい。
【００５３】
表示される番組表の時間は、３０分から２時間程度の範囲である。ミニ番組表７２が画面７の周辺部の一部に表示されるため、比較的短い範囲の時間帯について表示する。図５の例においては、１０時から１１時までの１時間の時間帯について表示されている。表示する時間帯は画面７のサイズによって適宜決めればよい。また利用者によって設定できるようにしてもよい。
【００５４】
ミニ番組表７２は、番組表生成手段３９によって番組表データが生成され、ＧＵＩ処理手段３８によって番組表の形式に変換され、部重畳処理部２５、映像処理部２６を経由して表示装置２７の画面７に表示される。
【００５５】
このようにすることによって、利用者がテレビ電話での会話に夢中になり時間を忘れて話し込んでしまうことを防ぎ、視聴したい番組を見逃す事態を軽減できる。
【００５６】
図５において、画面７にミニ番組表７２が表示されたとき、ラストチャンネルがハイライト表示され、このチャンネルについては、文字情報とサムネイル映像７３が表示されている。
【００５７】
図７は、図５の状態から右カーソルボタン５４ｂを１回押下した状態を示した図である。右カーソルボタン５４ｂを１回押下すると、ラストチャンネルから１個右側のチャンネル（この場合は５チャンネル）がハイライトされる。さらにハイライトされたチャンネルはこの番組のサムネイル映像７５が表示される。
【００５８】
図８は、画面７に選択チャンネルウィンドウ７６が表示された状態を示した図である。利用者がミニ番組表７２の中の１個のチャンネル番号をカーソルボタン５４で選択して決定ボタン５５を押下すると、選択チャンネルウィンドウ７６が表示される。選択チャンネルウィンドウ７６は選択されたチャンネルが１個表示され、文字情報とサムネイル映像７７が表示される。選択チャンネルウィンドウ７６の近傍に視聴ボタン７８と録画ボタン７９が表示される。
【００５９】
視聴ボタン７８は、テレビ電話を終了し、選択チャンネルウィンドウ７６に表示されたチャンネルの番組を表示するときに操作するボタンである。録画ボタン７９は、テレビ電話を終了せずに、記録装置２４に選択チャンネルウィンドウ７６に表示されたチャンネルの番組を録画するときに操作するボタンである。
【００６０】
図９は、画面７にテレビ電話終了確認ウィンドウ８０が表示された状態を示した図である。利用者がリモコン１４のカーソルボタン５４を操作して視聴ボタン７８を選択し、リモコン１４の決定ボタン５５を押下すると、テレビ電話終了確認ウィンドウ８０が表示される。利用者にテレビ電話を終了することを確認させるためである。
【００６１】
利用者がはいボタン８１を選択し、リモコン１４の決定ボタン５５を押下すると、オンフックされテレビ電話が終了し、選択チャンネルウィンドウ７６に表示されたチャンネルの放送番組が表示され視聴が開始される。いいえボタン８２を選択し決定ボタン５５を押下すると、選択チャンネルウィンドウ７６及びテレビ電話終了確認ウィンドウ８０を消去し、テレビ電話を継続する。
【００６２】
図１０は、テレビ電話におけるミニ番組表自動表示処理の動作手順を示したフローチャートである。利用者がテレビ電話の発呼または着呼によってオフフックをしたときにミニ番組表自動表示処理が開始される。
【００６３】
Ｓ１１において制御部３０は、ラストチャンネルの情報をＲＡＭ３２に記憶させる。Ｓ１２において、制御部３０は、画面７の表示を放送番組からテレビ電話の画面に切り替える。Ｓ１３において、制御部３０はミニ番組表自動表示設定が設定されているか判定する。ミニ番組自動表表示設定手段４０によって、画面７にテレビ電話の映像が表示されているときに、この映像にミニ番組表を重畳させて表示するように設定されているか否かを判定する。ミニ番組表自動表示設定が設定されていたならばＳ１４へ移る。設定されていないならばＳ１５へ移り、テレビ電話を通話状態にして終了する。
【００６４】
Ｓ１４において、制御部３０はテレビ電話を通話状態とする。Ｓ１６において番組表生成手段３９はミニ番組表のデータを生成し、ＧＵＩ処理手段３８が番組表を生成する。Ｓ１７において、制御部３０は制御部３０内に設けられたタイマーを設定する。
【００６５】
Ｓ１８において、制御部３０は、タイマー割り込みを掛ける。割り込みのタイミングは、テレビ電話機１８がオフフックされてテレビ電話機１８に送信された映像７０が画面に表示された後に、オフフック後の第１の所定時間（毎正時あるいは毎３０分などの番組が切り替わる切れ目のよい時間における最初の時間）の数秒前である。Ｓ１９において、制御部３０は、ミニ番組表７２を重畳処理部２５、映像処理部２６を経由して表示装置２７の画面７に表示させる。
【００６６】
Ｓ２０において、制御部３０は、表示されたミニ番組表７２に対して利用者の操作があったか否かを判定する。操作があったならば、Ｓ２１へ移り、所定時間操作がないならばＳ２５へ移ってミニ番組表７２を消去して終了する。所定時間とは、例えば３０秒程度である。Ｓ２１において、制御部３０はミニ番組表７２の中の番組が選択されたかを判定する。番組が選択されたならば、Ｓ２２へ移り、所定時間が経過しても番組が選択されなければＳ２５へ移って終了する。所定時間とは、例えば３０秒程度である。
【００６７】
Ｓ２２において、制御部３０は、選択チャンネルウィンドウ７６と視聴ボタン７８、録画ボタン７９を画面７に表示する。Ｓ２３において、制御部３０は、視聴ボタン７８、録画ボタン７９に対して利用者の操作があったかを判定する。視聴ボタン７８が選択されたならば、Ｓ２４へ移る。録画ボタン７９が選択されたならば、Ｓ２９へ移る。所定時間操作がないならばＳ２５へ移って選択チャンネルウィンドウ７６、視聴ボタン７８、録画ボタン７９を消去して終了する。所定時間とは、例えば３０秒程度である。
【００６８】
Ｓ２４において、制御部３０は画面7にテレビ電話終了確認ウィンドウ８０を表示する。Ｓ２９において、記録設定手段３７は、指定された番組の録画を開始する。Ｓ３０において、制御部３０は、選択チャンネルウィンドウ７６、視聴ボタン７８、録画ボタン７９を消去して終了する。
【００６９】
Ｓ２６において、制御部は利用者がテレビ電話を終了することを確認したかを判定する。テレビ電話を終了すると判定されたならば、Ｓ２７へ移る。テレビ電話を終了しないと判定されたならば、Ｓ２５へ移って選択チャンネルウィンドウ７６、視聴ボタン７８、録画ボタン７９、テレビ電話終了確認ウィンドウ８０を消去して終了する。
【００７０】
Ｓ２７において、制御部３０は、テレビ電話の通話を終了し、オンフックの状態とする。Ｓ２８において、制御部３０が指定されたチャンネルの番組を画面７に表示して視聴が開始され、終了する。
【００７１】
以上のように、テレビ電話がオフフックされ、テレビ電話に送信された映像が画面に表示された後に、オフフック後の第１の所定時間にミニ番組表をテレビ電話の映像に重畳させて画面７に表示することによって、利用者がテレビ電話での会話に夢中になり時間を忘れて話し込んでしまうことを防ぎ、視聴したい番組を見逃す事態を軽減できる。
【００７２】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００７３】
１  デジタル放送受信機
７  画面
８  スピーカ
８ａ  右スピーカ
８ｂ  左スピーカ
１０  カメラ
１２  マイク
１４  リモコン
２５  重畳処理部
２６  映像処理部
２７  表示装置
２８  音声処理部
３０  制御部
３１  ＭＰＵ
３２  ＲＡＭ
３３  ＲＯＭ
３４  フラッシュメモリ
３５  操作受信部
３６  操作機器
３７  記録設定手段
３８  ＧＵＩ処理手段
３９  番組表生成手段
４０  ミニ番組表自動表示設定手段
４１  回線制御部
４２  回線網
４３  ネットワークインターフェース
４４  ネットワーク
４５  映像音声制御部
４６  カメラ映像処理部
４７  マイク音声処理部
５４  カーソルボタン
５４ａ  左方向カーソルボタン
５４ｂ  右方向カーソルボタン
５４ｃ  上方向カーソルボタン
５４ｄ  下方向カーソルボタン
５５  決定ボタン
６２  通話ボタン
６３  終話ボタン
７０  テレビ電話映像
７１  カメラ映像
７２  ミニ番組表
７３  サムネイル
７６  選択チャンネルウィンドウ
７８  視聴ボタン
７９  録画ボタン
８０  テレビ電話終了確認ウィンドウ
【図１】
2012160920.tif 000003
【図２】
2012160920.tif 000004
【図３】
2012160920.tif 000005
【図４】
2012160920.tif 000006
【図５】
2012160920.tif 000007
【図６】
2012160920.tif 000008
【図７】
2012160920.tif 000009
【図８】
2012160920.tif 000010
【図９】
2012160920.tif 000011
【図１０】
2012160920.tif 000012
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
通信網に接続された外部機器とテレビ電話通信を行うテレビ電話手段と、
放送番組の番組表を生成する番組表生成手段と、
前記テレビ電話手段により前記外部機器と通信が確立し、前記テレビ電話手段により前記外部機器から受信した映像が画面に表示継続されている状態にて、
前記番組表を前記画面に自動的に含めて表示するよう制御する表示制御手段と
を有するデジタル放送受信機。
【請求項２】
前記番組表は前記画面の上端付近もしくは下端付近もしくは左端付近もしくは右端付近のいずれかに表示される請求項１に記載のデジタル放送受信機。
【請求項３】
前記番組表は前記テレビ電話手段により前記外部機器と通信の確立が開始する前に視聴していたチャンネルを前記番組表の略中央に表示しこの左右の少なくともいずれかに１個または複数のチャンネルを表示する請求項１に記載のデジタル放送受信機。
【請求項４】
前記番組表は所定の時刻になると表示される請求項１に記載のデジタル放送受信機。
【請求項５】
前記番組表に表示された番組のいずれかの録画を設定する手段を備え、前記テレビ電話手段により前記外部機器と通信が確立し、前記テレビ電話手段により前記外部機器から受信した映像が画面に表示された状態で、前記設定された録画を実行する請求項１に記載のデジタル放送受信機。
【請求項６】
前記番組表に表示された番組のいずれかの視聴を実行する手段を備え、前記テレビ電話手段により前記外部機器から受信した映像が画面に表示されている状態で前記視聴が実行された場合には、前記テレビ電話手段による前記外部機器との通信を終了させる請求項１に記載のデジタル放送受信機。
【請求項７】
前記表示制御手段が前記テレビ電話手段により前記外部機器と通信が確立し、前記テレビ電話手段により前記外部機器から受信した映像を画面に表示した後に、前記テレビ電話手段により前記外部機器と通信の確立が開始した後の所定時間に前記番組表を前記映像に重畳させて前記画面に表示するか否かを設定する設定手段を有する請求項１に記載のデジタル放送受信機。
【請求項８】
前記表示制御手段は、前記テレビ電話手段により前記外部機器と通信の確立が開始した後の所定時間に、前記番組表を前記画面に自動的に含めて表示するよう制御する請求項１に記載のデジタル放送受信機。
【手続補正２】
【補正対象書類名】明細書
【補正対象項目名】０００７
【補正方法】変更
【補正の内容】
【０００７】
上記目的を達成するために、実施形態によれば、デジタル放送受信機は、通信網に接続された外部機器とテレビ電話通信を行うテレビ電話手段と、放送番組の番組表を生成する番組表生成手段と、前記テレビ電話手段により前記外部機器と通信が確立し、前記テレビ電話手段により前記外部機器から受信した映像が画面に表示継続されている状態にて、前記番組表を前記画面に自動的に含めて表示するよう制御する表示制御手段とを有する。